(57)【特許請求の範囲】
【請求項１】
洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、
前記受入口に着脱可能に取り付けられ、前記受入口から前記トラップ本体内への異物の侵入を抑制するヘアキャッチャーと、
を備え、
前記トラップ本体は、
上部に前記受入口が設けられた有底筒状であり、流入した水を前記流出口に向けて流出させつつ、内部に前記封水を貯留可能とした封水貯留部と、
前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、
前記封水貯留部の内周面に周方向において所定の間隔を空けて設けられ、前記封水貯留部の上部において上端から下方に延びる複数の係合溝と、
を有し、
前記ヘアキャッチャーは、
下方に向かって凹む籠状であり、前記受入口に嵌って少なくとも一部が前記封水貯留部内に入り込む本体部と、
前記本体部の上端から外方に延びる取っ手部と、
前記本体部の外周面に周方向において所定の間隔を空けて設けられ、外方に突出し、前記複数の係合溝のいずれかと係合する複数の係合突起と、
を有し、
前記複数の係合溝は、前記複数の係合突起のいずれかと係合した状態において、前記複数の係合突起の上下方向の移動を規制する規制部を有し、
前記複数の係合突起は、前記複数の係合溝との係合が可能な所定の姿勢において、前記本体部が前記封水貯留部内に入り込むことを許容し、前記所定の姿勢と異なる姿勢において、前記本体部が前記封水貯留部内に入り込むことを規制することを特徴とする排水トラップ。
【請求項２】
前記規制部は、前記係合溝の下端から前記内周面の周方向に延び、前記係合突起と係合する切欠部であることを特徴とする請求項１記載の排水トラップ。
【請求項３】
前記規制部は、前記係合溝の一部の幅を狭くした絞り部であることを特徴とする請求項１記載の排水トラップ。
【請求項４】
前記複数の係合突起は、上下方向に長い縦長状に形成されていることを特徴とする請求項１〜３のいずれか１つに記載の排水トラップ。
【請求項５】
前記複数の係合突起は、前記取っ手部の位置を基準に、少なくとも前記本体部の右端部及び左端部に設けられることを特徴とする請求項１〜４のいずれか１つに記載の排水トラップ。
【請求項６】
前記複数の係合突起は、前記本体部の前端部及び後端部にさらに設けられることを特徴とする請求項５記載の排水トラップ。
【発明の詳細な説明】
【技術分野】
【０００１】
本発明の態様は、一般的に、浴室用の排水トラップに関する。
【背景技術】
【０００２】
浴槽の排水口と、洗い場の排水口と、排水管と、に接続され、浴槽又は洗い場から流入した水を排水管に流出させる浴室用の排水トラップがある。排水トラップは、内部に封水を貯留することにより、排水管からの臭気や害虫などが浴室側に向かうことを抑制する。
【０００３】
排水トラップには、ヘアキャッチャーと呼ばれる籠状の部材が着脱可能に設けられる。ヘアキャッチャーは、洗い場の排水口との接続部分である受入口に着脱可能に取り付けられ、トラップ内への水の流入を妨げることなく、毛髪などの異物がトラップ内に侵入してしまうことを抑制する。
【０００４】
こうした排水トラップにおいて、浴槽の排水口から流入した水により、トラップ内に旋廻流を形成することが提案されている（例えば、特許文献１）。トラップ内に旋廻流を形成しつつ、トラップ内の水位を一時的に上昇させて、ヘアキャッチャーを旋廻流に浸漬させる。これにより、例えば、ヘアキャッチャー内に溜まった異物がまとめられ、異物を捨て易くすることができる。また、ヘアキャッチャーの表面が、旋廻流によって浄化され、ヘアキャッチャー表面におけるヌメリの発生などを抑えることができる。
【０００５】
旋廻流を形成する排水トラップにおいて、旋廻流の影響でヘアキャッチャーが動いてしまうと、異物をまとめる効果やヌメリの抑制の効果が低下してしまう。このため、旋廻流を形成する排水トラップでは、受入口付近にヘアキャッチャーを係合させることにより、ヘアキャッチャーの上下方向及び旋廻方向への移動を規制している。
【０００６】
図８に表したように、例えば、排水トラップＤＴのトラップ本体ＭＢにおいて受入口ＯＰよりも下方の内周面に係合突起ＥＰを設け、係合突起ＥＰと係合する係合溝ＥＧをヘアキャッチャーＨＣの外周面に設けることが提案されている。係合突起ＥＰは、内方に向かって突出する。係合突起ＥＰは、例えば、トラップ本体ＭＢ内の内周面の周方向に所定の間隔を空けて複数設けられる。係合溝ＥＧは、例えば、ヘアキャッチャーＨＣの外周面の周方向に延び、係合部ＥＰに対応して複数設けられる。
【０００７】
図９（ａ）に表したように、ヘアキャッチャーＨＣの取り付けにおいては、まず、ヘアキャッチャーＨＣの上端を略水平にした状態で、上部に設けられたフランジ部ＨＣｆを複数の係合突起ＥＰの上に載置する。フランジ部ＨＣｆは、ヘアキャッチャーＨＣの籠状の本体部の上端部から外方に向かって放射状に延びる部分である。この後、図９（ｂ）に表したように、ヘアキャッチャーＨＣを旋廻方向に回転させながら各係合突起ＥＰと各係合溝ＥＧとを互いに係合させる。各係合溝ＥＧに各係合突起ＥＰを入り込ませて上下方向の移動を規制するとともに、各係合溝ＥＧの端面に各係合突起ＥＰを当接させて旋廻方向の移動を規制する。これにより、各係合突起ＥＰと各係合溝ＥＧとの係合によって、ヘアキャッチャーＨＣの上下方向及び旋廻方向への移動が規制される。また、排水トラップＨＣの受入口ＯＰよりも下方の内周面に各係合突起ＥＰを設け、各係合突起ＥＰと係合する係合溝ＥＧをヘアキャッチャーＨＣの外周面に設けることにより、受入口ＯＰ付近の排水トラップＤＴの上面に凸部を設ける必要がなく、排水に含まれる毛髪などが凸部に引っ掛かったりすることがない。
【０００８】
さらに、ヘアキャッチャーＨＣには、上端から外方に向かって略水平に延びる取っ手ＨＣｈが設けられる。これにより、取っ手ＨＣｈを摘んで操作することにより、ヘアキャッチャーＨＣ内に捕捉された異物を容易に捨てることができる。
【０００９】
また、ヘアキャッチャーＨＣは、受入口ＯＰよりも僅かに小さく形成され、受入口ＯＰ内に嵌った状態で取り付けられる。ヘアキャッチャーＨＣの上端は、受入口ＯＰと略面一、あるいは受入口ＯＰよりも下方に位置する。これにより、ヘアキャッチャーＨＣに洗い場からの排水を流入させ易くすることができる。また、受入口ＯＰに嵌るようにヘアキャッチャーＨＣを形成することにより、受入口ＯＰよりも大きく形成する場合に比べて、ヘアキャッチャーＨＣを小さくすることができ、ヘアキャッチャーＨＣをより操作し易くすることができる。捕捉された異物を捨てる際の操作性をより向上させることができる。
【００１０】
図１０に表したように、洗い場２の排水口４は、排水の溢れなどを抑制するため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００１１】
これにともない、洗い場２の床面２ａと凹部３の立面３ｂとのコーナー部ＣＮＲに、ヘアキャッチャーＨＣの側方側で取っ手ＨＣｈを摘んでいる手が当たってしまうことを避けるため、使用者によっては、取っ手ＨＣｈを摘み、図１０に表したように、ヘアキャッチャーＨＣの籠状の本体部分を受入口ＯＰに対して斜めに差し込んでしまう。そして、ヘアキャッチャーＨＣを受入口ＯＰに対して斜めに差し込むと、各係合突起ＥＰの間を通り抜け、ヘアキャッチャーＨＣがトラップ本体ＭＢ内の封水に浸かってしまう場合がある。
【００１２】
このように、旋廻流を形成する排水トラップＤＴでは、ヘアキャッチャーＨＣの取り付けの際に、ヘアキャッチャーＨＣがトラップ本体ＭＢ内の封水に浸かってしまう可能性があった。封水は、石鹸カスなどの混入により、不衛生な状態となっている場合がある。このため、ヘアキャッチャーＨＣが封水に浸かると、使用者にストレスを与えてしまう恐れがある。
【００１３】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００１４】
従って、旋廻流を形成する排水トラップＤＴでは、ヘアキャッチャーＨＣの機能性の低下を招くことなく、ヘアキャッチャーＨＣが封水に浸かってしまうことを抑制できるようにすることが望まれる。
【先行技術文献】
【特許文献】
【００１５】
【特許文献１】特開２０１２−１７２４２２号公報
【発明の概要】
【発明が解決しようとする課題】
【００１６】
本発明は、かかる課題の認識に基づいてなされたものであり、ヘアキャッチャーの機能性の低下を招くことなく、ヘアキャッチャーが封水に浸かってしまうことを抑制できる排水トラップを提供することを目的とする。
【課題を解決するための手段】
【００１７】
第１の発明は、洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、前記受入口に着脱可能に取り付けられ、前記受入口から前記トラップ本体内への異物の侵入を抑制するヘアキャッチャーと、を備え、前記トラップ本体は、上部に前記受入口が設けられた有底筒状であり、流入した水を前記流出口に向けて流出させつつ、内部に前記封水を貯留可能とした封水貯留部と、前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、前記封水貯留部の内周面に周方向において所定の間隔を空けて設けられ、前記封水貯留部の上部において上端から下方に延びる複数の係合溝と、を有し、前記ヘアキャッチャーは、下方に向かって凹む籠状であり、前記受入口に嵌って少なくとも一部が前記封水貯留部内に入り込む本体部と、前記本体部の上端から外方に延びる取っ手部と、前記本体部の外周面に周方向において所定の間隔を空けて設けられ、外方に突出し、前記複数の係合溝のいずれかと係合する複数の係合突起と、を有し、前記複数の係合溝は、前記複数の係合突起のいずれかと係合した状態において、前記複数の係合突起の上下方向の移動を規制する規制部を有し、前記複数の係合突起は、前記複数の係合溝との係合が可能な所定の姿勢において、前記本体部が前記封水貯留部内に入り込むことを許容し、前記所定の姿勢と異なる姿勢において、前記本体部が前記封水貯留部内に入り込むことを規制することを特徴とする排水トラップである。
【００１８】
この排水トラップによれば、ヘアキャッチャーが旋廻流の影響を受けても、ヘアキャッチャーの複数の係合突起が、封水貯留部の内周面に設けられた複数の係合溝に係合するため、ヘアキャッチャーの回転を抑制できるとともに、旋廻流の影響でヘアキャッチャーが上下に移動してしまうことを規制部によって抑制することができる。また、複数の係合突起が複数の係合溝に係合する状態では、封水貯留部の上部に設けられた係合溝の下端に係合突起が当接するため、本体部が封水に浸かってしまう程深くまでヘアキャッチャーが封水貯留部内に入り込んでしまうこともない。また、ヘアキャッチャーの取り付け時に各係合突起と各係合溝との係合が可能な所定の姿勢とは異なる姿勢で取り付けられようとした場合は、本体部が封水貯留部内に入り込むことが規制されるため、ヘアキャッチャーが封水に浸かってしまうことを抑制することができる。従って、ヘアキャッチャーの機能性の低下を招くことなく、ヘアキャッチャーが封水に浸かってしまうことを抑制できる排水トラップを提供することができる。また、封水貯留部の上部において上端から下方に延びるように各係合溝を形成しているため、ヘアキャッチャーの取り付けの際に、各係合溝の上端を使用者に視認させ易くし、各係合突起を各係合溝に所定の姿勢で係合させ易くすることができる。
【００１９】
第２の発明は、第１の発明において、前記規制部は、前記係合溝の下端から前記内周面の周方向に延び、前記係合突起と係合する切欠部であることを特徴とする排水トラップである。
【００２０】
この排水トラップによれば、規制のための部材を別途設ける必要がなく、簡単な構造で、規制部を設けることができる。また、ヘアキャッチャーを回転させるという簡単な操作で、係合突起を切欠部に係合させることができる。
【００２１】
第３の発明は、第１の発明において、前記規制部は、前記係合溝の一部の幅を狭くした絞り部であることを特徴とする排水トラップである。
【００２２】
この排水トラップによれば、規制のための部材を別途設ける必要がなく、簡単な構造で、規制部を設けることができる。また、ヘアキャッチャーを押し込むという簡単な操作で、係合突起を絞り部よりも下方の係合溝に係合させることができる。
【００２３】
第４の発明は、第１〜第３の発明のいずれか１つにおいて、前記複数の係合突起は、上下方向に長い縦長状に形成されていることを特徴とする排水トラップである。
【００２４】
この排水トラップによれば、各係合突起が縦長状に形成されているため、ヘアキャッチャーを略水平な姿勢とした状態でしか取り付けを行うことができなくなる。従って、ヘアキャッチャーが受入口に対して斜めに差し込まれることを抑制することができる。これにより、ヘアキャッチャーが封水に浸かってしまうことを、より確実に抑制することができる。
【００２５】
第５の発明は、第１〜第４の発明のいずれか１つにおいて、前記複数の係合突起は、前記取っ手部の位置を基準に、少なくとも前記本体部の右端部及び左端部に設けられることを特徴とする排水トラップである。
【００２６】
この排水トラップによれば、取っ手部を摘んだ状態で、適正ではない姿勢でヘアキャッチャーの取り付けを行おうとした際に、各係合突起を受入口に当接させ易くすることができる。例えば、多数の係合突起や過度に大きな係合突起などを必要とすることなく、ヘアキャッチャーが封水に浸かってしまうことを、より確実に抑制することができる。
【００２７】
第６の発明は、第５の発明において、前記複数の係合突起は、前記本体部の前端部及び後端部にさらに設けられることを特徴とする排水トラップである。
【００２８】
この排水トラップによれば、取っ手部を摘んだ状態で、適正ではない姿勢でヘアキャッチャーの取り付けを行おうとした際に、ヘアキャッチャーが封水に浸かってしまうことを、より確実に抑制することができる。
【発明の効果】
【００２９】
本発明の態様によれば、ヘアキャッチャーの機能性の低下を招くことなく、ヘアキャッチャーが封水に浸かってしまうことを抑制できる排水トラップが提供される。
【図面の簡単な説明】
【００３０】
【図１】実施形態に係る排水トラップを表す斜視図である。
【図２】実施形態に係る排水トラップを表す断面図である。
【図３】実施形態に係る排水トラップの使用状態を表す斜視図である。
【図４】流入口から水が流入した場合の水の流れを説明する説明図である。
【図５】実施形態に係るヘアキャッチャー及び締付フランジを表す斜視図である。
【図６】ヘアキャッチャーの取り付け状態を表す参考図である。
【図７】図７（ａ）〜図７（ｃ）は、実施形態に係る係合溝の変形例を表す説明図である。
【図８】参考の排水トラップを表す平面図である。
【図９】図９（ａ）及び図９（ｂ）は、参考の排水トラップのヘアキャッチャーの取り付け方法を表す説明図である。
【図１０】参考の排水トラップのヘアキャッチャーの取り付け状態を表す説明図である。
【発明を実施するための形態】
【００３１】
以下、実施形態について図面を参照しつつ説明する。なお、各図面中、同様の構成要素には同一の符号を付して詳細な説明は適宜省略する。  
図１は、実施形態に係る排水トラップを表す斜視図である。  
図２は、実施形態に係る排水トラップを表す断面図である。  
図３は、実施形態に係る排水トラップの使用状態を表す斜視図である。  
図１〜図３に表したように、排水トラップ１０は、トラップ本体１２と、ヘアキャッチャー１４と、を備える。ヘアキャッチャー１４は、トラップ本体１２に対して着脱可能に取り付けられる。なお、図３では、ヘアキャッチャー１４を取り外した状態を図示している。
【００３２】
トラップ本体１２は、受入口２０と、流入口２２と、流出口２４と、を有する。受入口２０は、洗い場２の凹部３の底面３ａに設けられた排水口４に接続される。流入口２２は、浴槽５の排水口６に接続される。流出口２４は、排水管８に接続される。
【００３３】
トラップ本体１２は、受入口２０及び流入口２２から流入した水を流出口２４から流出させる。換言すれば、トラップ本体１２は、流入した水を流出口２４を介して排水管８に流出させる。また、トラップ本体１２は、受入口２０及び流入口２２から流出口２４へと至る経路を封水によって遮断可能とする。これにより、トラップ本体１２は、排水管８の臭気や害虫などが浴室側に向かってしまうことを抑制する。
【００３４】
この例において、流入口２２は、接続部材１６及びホース１８を介して浴槽５の排水口６に接続される。接続部材１６は、Ｌ字状に屈曲した配管である。接続部材１６の一端には、排水口６と直接的に接続される接続口１６ａが設けられている。接続部材１６は、例えば、図示を省略した排水栓ユニットなどを介して排水口６に接続される。接続部材１６の他端は、ホース１８の一端に接続されている。ホース１８の他端は、流入口２２に接続されている。これにより、浴槽５の排水口６から排出された水が、接続部材１６及びホース１８を介してトラップ本体１２の流入口２２に流入する。
【００３５】
接続部材１６及びホース１８は、接着や溶着などにより、トラップ本体１２に一体に設けられていてもよい。この場合、接続部材１６の接続口１６ａを流入口２２としてもよい。流入口２２は、接続部材１６及びホース１８などの他の部材を介して間接的に浴槽５の排水口６に接続しても良いし、浴槽５の排水口６に直接的に接続してもよい。
【００３６】
ヘアキャッチャー１４は、受入口２０に着脱可能に取り付けられる。ヘアキャッチャー１４は、受入口２０からトラップ本体１２内への水の流入を妨げることなく、毛髪などの異物が受入口２０からトラップ本体１２内に侵入してしまうことを抑制する。
【００３７】
ヘアキャッチャー１４は、本体部３０と、取っ手部３２と、を有する。本体部３０は、下方に向かって凹む籠状である。本体部３０は、複数の開口を有し、各開口から水をトラップ本体１２内に流入させるとともに、各開口の周囲の網目状の部分において毛髪などの異物を捕捉する。
【００３８】
本体部３０は、受入口２０に嵌って少なくとも一部がトラップ本体１２内に入り込む。受入口２０の形状は、略円形である。同様に、本体部３０の上端３０ａの形状（本体部３０を上方から見た形状）は、略円形である。また、本体部３０は、上端部から外方に向かって放射状に延びるフランジ部３０ｆを有する。本体部３０の上端３０ａの外径（フランジ部３０ｆの外径）は、例えば、受入口２０の直径と実質的に同じか僅かに小さい程度である。これにより、本体部３０は、受入口２０内に嵌る。
【００３９】
また、ヘアキャッチャー１４は、本体部３０の上端３０ａが受入口２０と略面一になるようにトラップ本体１２に取り付けられる。すなわち、この例においては、本体部３０の略全体がトラップ本体１２内に入り込む。本体部３０の上端３０ａは、受入口２０に対して上方に位置してもよいし、下方に位置してもよい。但し、本体部３０の上端３０ａの位置は、受入口２０と略面一もしくは受入口２０よりも下方に設定することが好ましい。これにより、受入口２０より上方に設定する場合に比べて、洗い場２から流れた水をヘアキャッチャー１４の本体部３０内に流入させ易くすることができる。例えば、異物を含んだ水が、ヘアキャッチャー１４を通過することなく、ヘアキャッチャー１４と受入口２０との間の隙間などからトラップ本体１２内に直接流れ込んでしまうことを抑制することができる。トラップ本体１２内への異物の侵入をより抑制することができる。
【００４０】
取っ手部３２は、本体部３０の上端３０ａから外方に向かって略水平に延びる。これにより、例えば、ヘアキャッチャー１４を着脱し易くすることができる。例えば、取っ手部３２を摘み、本体部３０を裏返すように操作することにより、本体部３０に捕捉された異物を容易にゴミ箱などに捨てることができる。この例において、ヘアキャッチャー１４は、本体部３０の上端３０ａから上方に向かって延びる立ち上がり部３１を有し、取っ手部３２は、立ち上がり部３１の上端から外方に向かって略水平に延びる。取っ手部３２は、本体部３０の上端３０ａから直接的に外方に延びてもよいし、上記のように、立ち上がり部３１などを介して本体部３０の上端３０ａから間接的に外方に延びてもよい。
【００４１】
トラップ本体１２は、封水貯留部４０と、複数の係合溝４１と、噴出部４２と、を有する。
【００４２】
封水貯留部４０は、上部に受入口２０が設けられた有底筒状である。受入口２０に取り付けられたヘアキャッチャー１４は、封水貯留部４０内に入り込む。封水貯留部４０は、受入口２０から流入した水を受ける。封水貯留部４０は、流入した水を流出口２４に向けて流出させつつ、内部に封水を貯留可能とする。
【００４３】
トラップ本体１２は、例えば、隣接室４３と、連通口４４と、をさらに有する。隣接室４３は、封水貯留部４０に隣接して設けられる。流出口２４は、隣接室４３に設けられる。流出口２４は、隣接室４３において、隣接室４３の底面よりも上方に設けられる。流出口２４は、例えば、隣接室４３から側方を向いて形成される。これにより、隣接室４３では、流出口２４よりも下方の部分に、水が溜まる。すなわち、この例では、流出口２４の下端の位置が、封水の最高位置ＭＨＰとなる。
【００４４】
連通口４４は、封水貯留部４０と隣接室４３との隣接部において、封水貯留部４０と隣接室４３とを連通させる。連通口４４は、封水の最高位置ＭＨＰよりも下方に設けられ、封水中に没する。これにより、受入口２０及び流入口２２から流出口２４へと至る経路が、封水によって遮断される。連通口４４は、例えば、封水貯留部４０及び隣接室４３の下端部に設けられる。
【００４５】
連通口４４による封水貯留部４０と隣接室４３との連通により、封水貯留部４０にも、最高位置ＭＨＰ以下の部分に水が溜まる。封水貯留部４０に流入した水は、連通口４４及び隣接室４３を介して流出口２４に流出される。これにより、封水貯留部４０において、流入した水を流出口２４に向けて流出させつつ、内部に封水を貯留可能とすることができる。トラップ本体１２において封水を形成する構成は、上記に限ることなく、封水貯留部４０内に封水を貯留可能で、かつ流入した水を流出口２４に流出させることができる任意の構成でよい。
【００４６】
封水貯留部４０は、略円筒状の内周面４０ａを有する。内周面４０ａの直径は、受入口２０の直径と実質的に同じである。また、内周面４０ａの中心軸の位置は、受入口２０の中心と実質的に同じである。受入口２０は、例えば、円筒状の封水貯留部４０の開口端である。内周面４０ａの直径は、必ずしも受入口２０の直径と同じでなくてもよい。内周面４０ａの中心軸の位置は、必ずしも受入口２０の中心と同じでなくてもよい。
【００４７】
封水貯留部４０は、例えば、ベース部５０と、ベース部５０の上部に着脱可能に取り付けられる締付フランジ５２と、を有する。ベース部５０は、有底円筒状である。締付フランジ５２は、円筒状の筒部５２ａと、筒部５２ａの上端から外方に延びるフランジ部５２ｂと、を有する。筒部５２ａの外径は、ベース部５０の上部の内径と同程度である。筒部５２ａは、ベース部５０内に挿通される。また、ベース部５０の上部の内周面には、雌ねじが設けられている。筒部５２ａの下部の外周面には、ベース部５０の雌ねじに対応する雄ねじが設けられている。締付フランジ５２は、筒部５２ａの雄ねじをベース部５０の雌ねじに螺合させることにより、ベース部５０に着脱可能に取り付けられる。
【００４８】
筒部５２ａの内周面は、ベース部５０に取り付けられた状態において、ベース部５０の内周面と略面一となる。この例において、封水貯留部４０の内周面は、ベース部５０の内周面と、筒部５２ａの内周面と、を含む。この例において、受入口２０は、筒部５２ａの上方の開口端である。この例おいて、受入口２０は、締付フランジ５２に形成されている。
【００４９】
洗い場２の排水口４を上から見た形状は、略円形である。排水口４は、断面略円形の貫通孔である。排水口４の直径は、締付フランジ５２の筒部５２ａの外径と同程度である。排水口４と受入口２０との接続においては、締付フランジ５２の筒部５２ａを上方から排水口４に挿通し、各ねじの螺合により、ベース部５０の開口端面とフランジ部５２ｂとの間に、洗い場２の床材の排水口４の周縁部分を挟み込む。これにより、排水口４と受入口２０とが接続され、排水口４から排出された水が、受入口２０からトラップ本体１２（封水貯留部４０）内に流入する。
【００５０】
排水口４と受入口２０との接続方法は、上記に限定されるものではない。封水貯留部４０は、必ずしも締付フランジ５２を有しなくてもよい。この場合、ベース部５０の上部の開口端を受入口２０とすればよい。
【００５１】
複数の係合溝４１は、封水貯留部４０の内周面４０ａに周方向において所定の間隔を空けて設けられる（図３参照）。この例において、各係合溝４１は、締付フランジ５２に設けられている。各係合溝４１は、封水貯留部４０（締付フランジ５２）の上部において上端から下方に延びる。
【００５２】
各係合溝４１は、ヘアキャッチャー１４の取り付けに用いられる。各係合溝４１は、ヘアキャッチャー１４の底部が封水の最高位置ＭＨＰよりも上方に位置するように、ヘアキャッチャー１４を保持する。封水貯留部４０、各係合溝４１、及びヘアキャッチャー１４は、受入口２０に取り付けられたヘアキャッチャー１４の底部が封水の最高位置ＭＨＰよりも上方に位置するように、寸法が調整される。
【００５３】
この例では、４つの係合溝４１が、９０°おきに設けられる。係合溝４１の数は、４つに限ることなく、ヘアキャッチャー１４の取り付けが可能な任意の数でよい。また、各係合溝４１の間隔は、必ずしも一定でなくてもよい。本願明細書において、「所定の間隔」には、同一の間隔のみならず、間隔にばらつきがある場合も含むものとする。
【００５４】
噴出部４２は、流入口２２から流入した水を封水貯留部４０内に噴出させることにより、封水貯留部４０の内周面４０ａに沿って旋廻する旋廻流を形成するとともに、封水貯留部４０内の水位を一時的に上昇させ、ヘアキャッチャー１４を旋廻流に浸漬させる。
【００５５】
図４は、流入口から水が流入した場合の水の流れを説明する説明図である。  
図４に表したように、噴出部４２は、例えば、円筒面状の内周面４０ａの接線方向に向けて封水貯留部４０内に水を噴出させる。これにより、内周面４０ａに沿って水が旋廻し、封水貯留部４０内に旋廻流が形成される。この例において、旋廻流の旋廻方向は、時計回りの方向である。旋廻方向は、反時計回りの方向でもよい。
【００５６】
旋廻流となった水の一部は、連通口４４を介して封水貯留部４０から隣接室４３に流出し、流出口２４から排水管８に流出する。この際、噴出部４２から噴出する水の量を、連通口４４から流出する水の量よりも僅かに多くする。これにより、噴出部４２からの水の噴出にともなって封水貯留部４０内の水位が一時的に上昇し、ヘアキャッチャー１４が旋廻流に浸漬される。
【００５７】
ヘアキャッチャー１４を旋廻流に浸漬させると、ヘアキャッチャー１４の本体部３０内において、捕捉された異物が攪拌される。これにより、例えば、毛髪などの異物を一まとまりの塊にまとめ、捕捉された異物を捨て易くすることができる。また、例えば、ヘアキャッチャー１４の表面を旋廻流によって浄化させ、ヘアキャッチャー１４の表面におけるヌメリの発生などを抑えることができる。
【００５８】
図４に表したように、トラップ本体１２は、例えば、バイパス路４５をさらに有する。バイパス路４５は、例えば、流入口２２と隣接室４３とを接続し、流入口２２から流入した水の一部を封水貯留部４０を介すことなく隣接室４３に送る。例えば、封水貯留部４０に噴出する水の量と、バイパス路４５に流す水の量と、を調整することにより、噴出部４２から水を噴出させた際の封水貯留部４０内の水位を調整することができる。バイパス路４５の少なくとも一部は、封水の最高位置ＭＨＰよりも下方に設けられる。これにより、バイパス路４５内に封水が満たされ、流入口２２から流出口２４に向かう経路が遮断される。
【００５９】
図５は、実施形態に係るヘアキャッチャー及び締付フランジを表す斜視図である。  
図５に表したように、ヘアキャッチャー１４は、複数の係合突起３４をさらに有する。各係合突起３４は、本体部３０の外周面に設けられる。各係合突起３４は、本体部３０の外周面の周方向において所定の間隔を空けて設けられる。ヘアキャッチャー１４は、例えば、９０°おきに設けられた４つの係合突起３４を有する。
【００６０】
各係合突起３４は、取っ手部３２の位置を基準に、少なくとも本体部３０の右端部及び左端部に設けられる。本体部３０の右端部は、取っ手部３２の延びる方向を後方、これと反対の方向を前方とした時に、右側を向く部分であり、左端部は、これと反対の方向である。また、各係合突起３４は、本体部３０の前端部及び後端部にさらに設けられる。換言すれば、ヘアキャッチャー１４は、例えば、本体部３０の右端部に設けられた係合突起３４Ｒと、本体部３０の左端部に設けられた係合突起３４Ｌと、本体部３０の前端部に設けられた係合突起３４Ｆと、本体部３０の後端部に設けられた係合突起３４Ｂと、を有する。
【００６１】
各係合突起３４は、封水貯留部４０の内周面４０ａに設けられた各係合溝４１のいずれかに係合する。また、各係合突起３４は、各係合溝４１との係合が可能な所定の姿勢において、本体部３０が封水貯留部４０内に入り込むことを許容し、所定の姿勢と異なる姿勢において、本体部３０が封水貯留部４０内に入り込むことを規制する。
【００６２】
各係合溝４１との係合が可能な姿勢とは、例えば、本体部３０の上端３０ａを略水平にし、かつ各係合突起３４を各係合溝４１の上方に配置した姿勢である。このように本体部３０を向けた姿勢から、ヘアキャッチャー１４を略垂直に降ろす。これにより、各係合突起３４が各係合溝４１内に入り込んで互いに係合し、本体部３０が封水貯留部４０内に入り込んで受入口２０に嵌る。
【００６３】
各係合突起３４と各係合溝４１との位置が合っていない場合、及び本体部３０が傾いている場合には、各係合突起３４が受入口２０の周縁に当接する。これにより、本体部３０が封水貯留部４０内に入り込むことが規制される。
【００６４】
各係合突起３４は、例えば、上下方向に長い縦長状に形成されている。各係合突起３４の上下方向の長さは、各係合突起３４の周方向の幅よりも長い。各係合突起３４の突出量は、各係合溝４１との位置が合っていない状態において受入口２０の周縁に当接可能な任意の長さでよい。例えば、上方から見た状態において、各係合突起３４の外接円の直径を受入口２０の直径よりも大きくする。これにより、各係合溝４１との位置が合っていない状態において、各係合突起３４を受入口２０の周縁に当接させることができる。また、各係合突起３４の突出量は、過度に大きくしないことが好ましい。各係合突起３４の本体部３０の外周面からの突出量は、例えば、３ｍｍ以上１０ｍｍ以下程度であることが好ましい。
【００６５】
各係合突起３４の形状は、各係合溝４１と係合し、かつ各係合溝４１との位置が合っていない時に本体部３０が封水貯留部４０内に入り込むことを抑制可能な任意の形状でよい。また、係合突起３４の数は、４つに限ることなく、３つ以下でもよいし、５つ以上でもよい。各係合突起３４の数は、各係合溝４１の数よりも少なくてもよい。係合突起３４の数及び配置は、各係合溝４１のいずれかに係合可能となるように適宜設定すればよい。
【００６６】
各係合溝４１は、切欠部６０（規制部）を有する。切欠部６０は、係合溝４１の下端４１ａから内周面の周方向に延び、係合突起３４と係合する。換言すれば、各係合溝４１は、略Ｌ字状に屈曲している。切欠部６０の延びる方向は、例えば、旋廻流の旋廻方向である。切欠部６０は、各係合突起３４のいずれかと係合した状態において、各係合突起３４の上下方向の移動を規制する。換言すれば、切欠部６０は、係合突起３４の上方への抜けを規制する。また、切欠部６０は、各係合突起３４のいずれかと係合した状態において、各係合突起３４の旋廻方向への回転を規制する。すなわち、各係合溝４１は、各係合突起３４との係合により、ヘアキャッチャー１４の本体部３０の上下方向の移動を規制するとともに、本体部３０の旋廻方向への回転を規制する。
【００６７】
ヘアキャッチャー１４の取り付けにおいては、取っ手部３２を摘んでヘアキャッチャー１４を操作する。まず、本体部３０の上端３０ａを略水平にし、各係合突起３４と各係合溝４１との位置を合わせる。この後、ヘアキャッチャー１４を略垂直に降ろし、各係合突起３４を各係合溝４１内に入り込ませる。そして、本体部３０をさらに旋廻方向に回転させ、各係合突起３４を切欠部６０内に入り込ませ、各係合突起３４を切欠部６０に係合させる。以上により、ヘアキャッチャー１４の取り付けが完了する。
【００６８】
ヘアキャッチャー１４を取り外す場合には、本体部３０を旋廻方向と反対の方向に回転させ、各係合突起３４と切欠部６０との係合を解除する。この後、本体部３０を略垂直に上昇させ、各係合突起３４を各係合溝４１から引き抜く。これにより、ヘアキャッチャー１４をトラップ本体１２から取り外すことができる。
【００６９】
図６は、ヘアキャッチャーの取り付け状態を表す参考図である。  
図６では、参考の排水トラップＤＴにおける参考のヘアキャッチャーＨＣの取り付け状態を表している。参考の排水トラップＤＴでは、本実施形態に係る排水トラップ１０とは反対に、トラップ本体ＭＢの内周面側に係合突起ＥＰが設けられ、ヘアキャッチャーＨＣの外周面側に係合溝が設けられる（図８〜図１０参照）。参考の排水トラップＤＴでは、例えば、ヘアキャッチャーＨＣを周方向に回転させて係合突起ＥＰと係合溝とを係合させることにより、ヘアキャッチャーＨＣが取り付けられる。
【００７０】
洗い場２の排水口４は、排水の溢れを抑制したり、排水口４を覆うカバーを収容したりするため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００７１】
これにともない、洗い場２の床面２ａと凹部３の立面３ｂとのコーナー部ＣＮＲに手が当たってしまうことを避けるため、図６に表したように、使用者によっては、ヘアキャッチャーＨＣの取っ手部ＨＣｈを摘み、ヘアキャッチャーＨＣの本体部を受入口ＯＰに対して斜めに差し込んでしまう。そして、ヘアキャッチャーＨＣを受入口ＯＰに対して斜めに差し込むと、ヘアキャッチャーＨＣの本体部の上端の外径は受入口ＯＰの直径と実質的に同じか僅かに小さいため、本体部が各係合突起ＥＰの間を通り抜け、ヘアキャッチャーＨＣがトラップ本体ＭＢ内の封水に浸かってしまう場合がある。
【００７２】
トラップ本体ＭＢ内の封水は、石鹸カスなどの混入により、不衛生な状態となっている場合がある。このため、ヘアキャッチャーＨＣが封水に浸かると、使用者にストレスを与えてしまう恐れがある。
【００７３】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００７４】
これに対して、本実施形態に係る排水トラップ１０では、ヘアキャッチャー１４が旋廻流の影響を受けても、ヘアキャッチャー１４の複数の係合突起３４が、封水貯留部４０の内周面４０ａに設けられた複数の係合溝４１に係合するため、ヘアキャッチャー１４の回転を抑制できるとともに、旋廻流の影響でヘアキャッチャー１４が上下に移動してしまうことを切欠部６０によって抑制することができる。また、ヘアキャッチャー１４の取り付け時には、各係合突起３４と各係合溝４１との係合が可能な所定の姿勢でしか本体部３０が封水貯留部４０内に入り込まないため、ヘアキャッチャー１４が封水に浸かってしまうことを抑制することができる。例えば、封水の最高位置ＭＨＰから受入口２０までの高さを、ヘアキャッチャー１４の本体部３０の半径よりも長く設定する。これにより、ヘアキャッチャー１４が封水に浸かってしまうことをより抑制することができる。従って、ヘアキャッチャー１４の機能性の低下を招くことなく、ヘアキャッチャー１４が封水に浸かってしまうことを抑制することができる。また、封水貯留部４０の上部において上端から下方に延びるように各係合溝４１を形成しているため、ヘアキャッチャー１４の取り付けの際に、各係合溝４１の上端を使用者に視認させ易くし、各係合突起３４を各係合溝４１に所定の姿勢で係合させ易くすることができる。
【００７５】
また、排水トラップ１０では、規制のための部材を別途設ける必要がなく、切欠部６０により、ヘアキャッチャー１４の上下動を簡単な構造で規制することができる。また、ヘアキャッチャー１４を回転させるという簡単な操作で、係合突起３４を切欠部６０に係合させることができる。
【００７６】
また、排水トラップ１０では、各係合突起３４が縦長状に形成されているため、ヘアキャッチャー１４を略水平な姿勢とした状態でしか取り付けを行うことができなくなる。従って、ヘアキャッチャー１４が受入口２０に対して斜めに差し込まれることを抑制することができる。ヘアキャッチャー１４が封水に浸かってしまうことを、より確実に抑制することができる。
【００７７】
また、排水トラップ１０では、各係合突起３４が、本体部３０の右端部及び左端部に設けられている。これにより、取っ手部３２を摘んだ状態で、適正ではない姿勢でヘアキャッチャー１４の取り付けを行おうとした際に、各係合突起３４を受入口２０に当接させ易くすることができる。例えば、多数の係合突起３４や過度に大きな係合突起３４などを必要とすることなく、ヘアキャッチャー１４が封水に浸かってしまうことを、より確実に抑制することができる。
【００７８】
また、排水トラップ１０では、各係合突起３４が、本体部３０の前端部及び後端部にさらに設けられる。これにより、取っ手部３２を摘んだ状態で、適正ではない姿勢でヘアキャッチャー１４の取り付けを行おうとした際に、ヘアキャッチャー１４が封水に浸かってしまうことを、より確実に抑制することができる。
【００７９】
また、排水トラップ１０では、ヘアキャッチャー１４の本体部３０が、受入口２０内に嵌る。本体部３０が受入口２０より大きい場合に比べて、本体部３０がコンパクトであり、取り外して振ったりする際の操作性を向上させることができる。また、清掃面積が小さくなり、ヘアキャッチャー１４の清掃性を向上させることもできる。
【００８０】
また、排水トラップ１０では、本体部３０の上端３０ａの位置が、受入口２０と略面一もしくは受入口２０よりも下方に設定される。これにより、受入口２０より上方に設定する場合に比べて、洗い場２から流れた水をヘアキャッチャー１４の本体部３０内に流入させ易くすることができる。トラップ本体１２内への異物の侵入をより抑制することができる。
【００８１】
また、排水トラップ１０では、取っ手部３２が、本体部３０の上端３０ａから外方に向かって略水平に延びる。これにより、ヘアキャッチャー１４の操作性をより高めることができる。例えば、本体部３０に捕捉された異物を容易にゴミ箱などに捨てることができる。
【００８２】
図７（ａ）〜図７（ｃ）は、実施形態に係る係合溝の変形例を表す説明図である。  
図７（ａ）〜図７（ｃ）に表したように、この例において、各係合溝４１は、上下方向に延びる直線状である。各係合溝４１は、一部の幅を狭くした絞り部６２（規制部）を有する。絞り部６２の下端４１ａからの高さは、係合突起３４の上下方向の長さよりも僅かに高く設定される。係合溝４１は、下端４１ａと絞り部６２との間に係合突起３４を入り込ませる。
【００８３】
係合溝４１の絞り部６２以外の部分の幅ＷＣ１は、係合突起３４の幅ＷＰよりも僅かに広い。一方、絞り部６２の幅ＷＣ２は、係合突起３４の幅ＷＰと同じか僅かに狭い。これにより、下端４１ａと絞り部６２との間の部分に係合突起３４を入り込ませた場合には、下端４１ａとの当接によって係合突起３４の下方への移動が規制されるとともに、絞り部６２によって係合突起３４の上方への移動が規制される。ヘアキャッチャー１４及び締付フランジ５２には、例えば、樹脂材料が用いられる。これにより、係合突起３４が絞り部６２の部分を通過する際に、係合突起３４及び係合溝４１が弾性変形し、係合突起３４を通過させ易くすることができる。
【００８４】
このように、係合突起３４の上下方向の移動を規制する規制部は、切欠部６０でもよいし、絞り部６２でもよい。規制部は、これらに限ることなく、係合突起３４の上下方向の移動を規制可能な任意の構成でよい。規制部を切欠部６０又は絞り部６２とした場合には、規制のための部材を別途設ける必要がなく、ヘアキャッチャー１４の上下動を簡単な構造で規制することができる。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水トラップ１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
２ 洗い場、  ３ 凹部、  ３ａ 底面、  ４ 排水口、  ５ 浴槽、  ６ 排水口、  ８ 排水管、  １０ 排水トラップ、  １２ トラップ本体、  １４ ヘアキャッチャー、  １６ 接続部材、  １８ ホース、  ２０ 受入口、  ２２ 流入口、  ２４ 流出口、  ３０ 本体部、  ３２ 取っ手部、  ３４ 係合突起、  ４０ 封水貯留部、  ４１ 係合溝、  ４２ 噴出部、  ４３ 隣接室、  ４４ 連通口、  ４５ バイパス路、  ５０ ベース部、  ５２ 締付フランジ、  ６０ 切欠部、  ６２ 絞り部、  ＣＮＲ コーナー部、  ＭＨＰ 最高位置
【図１】
0006651946.tif 000002
【図２】
0006651946.tif 000003
【図３】
0006651946.tif 000004
【図４】
0006651946.tif 000005
【図５】
0006651946.tif 000006
【図６】
0006651946.tif 000007
【図７】
0006651946.tif 000008
【図８】
0006651946.tif 000009
【図９】
0006651946.tif 000010
【図１０】
0006651946.tif 000011